(57)【特許請求の範囲】
【請求項１】
互いに熱交換が可能な乾流路および湿流路と、前記湿流路に設けられる液体供給手段と、を備え、前記湿流路を流れる気体により前記湿流路に供給された液体が蒸発する際に気化熱として周囲から熱を奪うことにより前記乾流路を流れる気体を加湿することなく冷却する間接気化冷却装置と、
第一の流路および第二の流路と、前記第一の流路と前記第二の流路との間に跨って回転するデシカントロータと、前記第一の流路と前記第二の流路とにそれぞれ設けられる再生手段と、を備え、前記第一の流路と前記第二の流路のうち一方の流路を流れる気体に対し吸湿を行うとともに、他方の流路においてデシカントロータの再生を行うデシカント調湿装置と、
を備えた冷房除湿システムであって、
前記乾流路の入口に、先端が屋外の大気に連通する大気開放端となる外気吸入流路が接続され、この外気吸入流路の途中に三方切替手段が設けられ、
前記湿流路の出口に、先端が屋外の大気に連通する大気開放端となる外気連通流路が接続され、この外気連通流路の途中に三方切替手段が設けられ、
前記乾流路の出口と前記第一の流路の入口との間に接続流路が接続され、この接続流路の途中に、前記乾流路の出口側から順に四方切替手段と三方切替手段とが直列に設けられ、
前記第二の流路の出口と前記湿流路の入口との間に接続流路が接続され、この接続流路の途中に二つの三方切替手段が直列に設けられ、
前記第一の流路の出口に、先端が屋内の空間に連通する内気開放端となる内気連通流路が接続され、この内気連通流路の途中に二つの三方切替手段が直列に設けられ、
前記第二の流路の入口に、先端が屋内の空間に連通する内気開放端となる内気吸入流路が接続され、この内気吸入流路の途中に二つの三方切替手段が直列に設けられ、
前記四方切替手段と前記内気吸入流路の前記第二の流路の入口側の前記三方切替手段との間に接続流路が接続され、
前記乾流路の出口と前記第一の流路の入口との間に接続された前記接続流路の前記第一の流路の入口側の前記三方切替手段と、前記内気吸入流路の内気開放端側の前記三方切替手段との間に接続流路が接続され、この接続流路の途中に三方切替手段が設けられ、この三方切替手段と前記外気吸入流路の途中に設けられた前記三方切替手段との間に接続流路が接続され、
前記第二の流路の出口と前記湿流路の入口との間に接続された前記接続流路の前記湿流路の入口側の前記三方切替手段と、前記内気連通流路の前記第一の流路の出口側の前記三方切替手段との間に接続流路が接続され、この接続流路の途中に三方切替手段が設けられ、この三方切替手段と前記外気連通流路の途中に設けられた前記三方切替手段との間に接続流路が接続され、
前記第二の流路の出口と前記湿流路の入口との間に接続された前記接続流路の前記第二の流路の出口側の前記三方切替手段と、前記内気連通流路の内気開放端側の前記三方切替手段との間に接続流路が接続され、この接続流路の途中に三方切替手段が設けられ、この三方切替手段と前記四方切替手段との間に接続流路が接続されることを特徴とする冷房除湿システム。
【請求項２】
前記外気吸入流路が全長に亘って内部が連通するようにこの途中に設けられる前記三方切替手段を切り替え、
前記外気連通流路が全長に亘って内部が連通するようにこの途中に設けられる前記三方切替手段を切り替え、
前記乾流路の出口と第一の流路の入口との間に接続される前記接続流路が全長に亘って内部が連通するようにこの途中に設けられる前記四方切替手段および前記三方切替手段を切り替え、
前記第二の流路の出口と前記湿流路の入口との間に接続される前記接続流路が全長に亘って内部が連通するようにこの途中に設けられる前記三方切替手段および前記三方切替手段を切り替え、
前記第一の流路の出口に接続される前記内気連通流路が全長に亘って内部が連通するようにこの途中に設けられる前記三方切替手段および前記三方切替手段を切り替え、
前記第二の流路の入口に接続される前記内気吸入流路が全長に亘って内部が連通するように前記三方切替手段および前記三方切替手段を切り替えて、流路を構成し、
前記間接気化冷却装置の前記液体供給手段を動作させ、
前記デシカント調湿装置の前記デシカントロータと前記再生手段を動作させないで運転することを特徴とする請求項１記載の冷房除湿システム。
【請求項３】
前記外気吸入流路が全長に亘って内部が連通するようにこの途中に設けられる前記三方切替手段を切り替え、
前記外気連通流路が全長に亘って内部が連通するようにこの途中に設けられる前記三方切替手段を切り替え、
前記乾流路の出口と第一の流路の入口との間に接続される前記接続流路が全長に亘って内部が連通するようにこの途中に設けられる前記四方切替手段および前記三方切替手段を切り替え、
前記第二の流路の出口と前記湿流路の入口との間に接続される前記接続流路が全長に亘って内部が連通するようにこの途中に設けられる前記三方切替手段および前記三方切替手段を切り替え、
前記第一の流路の出口に接続される前記内気連通流路が全長に亘って内部が連通するようにこの途中に設けられる前記三方切替手段および前記三方切替手段を切り替え、
前記第二の流路の入口に接続される前記内気吸入流路が全長に亘って内部が連通するように前記三方切替手段および前記三方切替手段を切り替えて、流路を構成し、
前記間接気化冷却装置の前記液体供給手段を動作させ、
前記デシカント調湿装置の前記デシカントロータと前記第二の流路の前記再生手段を動作させて運転することを特徴とする請求項１記載の冷房除湿システム。
【請求項４】
前記外気吸入流路が全長に亘って内部が連通するようにこの途中に設けられる前記三方切替手段を切り替え、
前記外気連通流路が全長に亘って内部が連通するようにこの途中に設けられる前記三方切替手段を切り替え、
前記乾流路の出口と第一の流路の入口との間に接続される前記接続流路が全長に亘って内部が連通するようにこの途中に設けられる前記四方切替手段および前記三方切替手段を切り替え、
前記第二の流路の出口と前記湿流路の入口との間に接続される前記接続流路が全長に亘って内部が連通するようにこの途中に設けられる前記三方切替手段および前記三方切替手段を切り替え、
前記第一の流路の出口に接続される前記内気連通流路が全長に亘って内部が連通するようにこの途中に設けられる前記三方切替手段および前記三方切替手段を切り替え、
前記第二の流路の入口に接続される前記内気吸入流路が全長に亘って内部が連通するように前記三方切替手段および前記三方切替手段を切り替えて、流路を構成し、
前記間接気化冷却装置の前記液体供給手段を動作させず、
前記デシカント調湿装置の前記デシカントロータと前記再生手段を動作させないで運転することを特徴とする請求項１記載の冷房除湿システム。
【請求項５】
前記外気吸入流路が全長に亘って内部が連通するようにこの途中に設けられる前記三方切替手段を切り替え、
前記外気連通流路が全長に亘って内部が連通するようにこの途中に設けられる前記三方切替手段を切り替え、
前記乾流路の出口と第一の流路の入口との間に接続される前記接続流路が全長に亘って内部が連通するようにこの途中に設けられる前記四方切替手段および前記三方切替手段を切り替え、
前記第二の流路の出口と前記湿流路の入口との間に接続される前記接続流路が全長に亘って内部が連通するようにこの途中に設けられる前記三方切替手段および前記三方切替手段を切り替え、
前記第一の流路の出口に接続される前記内気連通流路が全長に亘って内部が連通するようにこの途中に設けられる前記三方切替手段および前記三方切替手段を切り替え、
前記第二の流路の入口に接続される前記内気吸入流路が全長に亘って内部が連通するように前記三方切替手段および前記三方切替手段を切り替えて、流路を構成し、
前記間接気化冷却装置の前記液体供給手段を動作させ、
前記デシカント調湿装置の前記デシカントロータと前記第一の流路の前記再生手段を動作させて運転することを特徴とする請求項１記載の冷房除湿システム。
【発明の詳細な説明】
【技術分野】
【０００１】
本発明は、間接気化冷却装置とデシカント調湿装置とを備えた冷房除湿システムに関するものである。
【背景技術】
【０００２】
互いに熱交換が可能な乾流路および湿流路の二つの気体の流路と、湿流路に設けられる液体供給手段と、を備え、湿流路を流れる気体が、該湿流路に供給された液体が気化される際に気化熱として周囲から熱を奪うことにより、乾流路を流れる気体が冷却されることで、乾流路を流れる気体を加湿することなく冷却する間接気化冷却装置が知られている（例えば特許文献１参照）。
【０００３】
また、二つの気体の流路と、この流路間に跨って回転するデシカントロータと、を備え、一方の流路を流れる気体に対し吸湿（除湿）を行うとともに、他方の流路においてデシカントロータの再生を行うデシカント調湿装置が知られている（例えば特許文献２参照）。
【先行技術文献】
【特許文献】
【０００４】
【特許文献１】特開２００８−１０１８９０号公報
【特許文献２】特開２００８−１６４２０３号公報
【発明の概要】
【発明が解決しようとする課題】
【０００５】
簡素な構成の間接気化冷却装置とデシカント調湿装置とを備え、冷房と、除湿と、冷房および除湿を任意に行うことが可能な冷房除湿システムが望まれている。
【０００６】
本発明は上記従来の問題点に鑑みて発明したものであって、その目的とするところは、間接気化冷却装置とデシカント調湿装置とを備え、冷房と、除湿と、冷房および除湿を任意に行うことが可能な冷房除湿システムを提供することを課題とするものである。
【課題を解決するための手段】
【０００７】
上記課題を解決するために、請求項１に係る発明は、
互いに熱交換が可能な乾流路１１および湿流路１２と、湿流路１２に設けられる液体供給手段１３と、を備え、湿流路１２を流れる気体により湿流路１２に供給された液体が蒸発する際に気化熱として周囲から熱を奪うことにより乾流路１１を流れる気体を加湿することなく冷却する間接気化冷却装置１と、
第一の流路２１および第二の流路２２と、第一の流路２１と第二の流路２２との間に跨って回転するデシカントロータ２０と、第一の流路２１と第二の流路２２とにそれぞれ設けられる再生手段２３、２４と、を備え、第一の流路２１と第二の流路２２のうち一方の流路を流れる気体に対し吸湿を行うとともに、他方の流路においてデシカントロータ２０の再生を行うデシカント調湿装置２と、
を備えた冷房除湿システムであって、
乾流路１１の入口に、先端が屋外の大気に連通する大気開放端となる外気吸入流路３１が接続され、この外気吸入流路３１の途中に三方切替手段５１が設けられ、
湿流路１２の出口に、先端が屋外の大気に連通する大気開放端となる外気連通流路３２が接続され、この外気連通流路３２の途中に三方切替手段５２が設けられ、
乾流路１１の出口と第一の流路２１の入口との間に接続流路３３が接続され、この接続流路３３の途中に、乾流路１１の出口側から順に四方切替手段５３と三方切替手段５４とが直列に設けられ、
第二の流路２２の出口と湿流路１２の入口との間に接続流路３４が接続され、この接続流路３４の途中に、第二の流路２２の出口側から順に三方切替手段５５と三方切替手段５６とが設けられ、
第一の流路２１の出口に、先端が屋内の空間に連通する内気開放端となる内気連通流路３５が接続され、この内気連通流路３５の途中に、第一の流路２１の出口側から順に三方切替手段５７と三方切替手段５８とが設けられ、
第二の流路２２の入口に、先端が屋内の空間に連通する内気開放端となる内気吸入流路３６が接続され、この内気吸入流路３６の途中に、内気開放端側から順に三方切替手段５９と三方切替手段６０とが設けられ、
四方切替手段５３と内気吸入流路３６の第二の流路２２の入口側の三方切替手段６０との間に接続流路３７が接続され、
乾流路１１の出口と第一の流路２１の入口との間に接続された接続流路３３の第一の流路２１の入口側の三方切替手段５４と、内気吸入流路３６の内気開放端側の三方切替手段５９との間に接続流路３８が接続され、この接続流路３８の途中に三方切替手段６１が設けられ、この三方切替手段６１と外気吸入流路３１の途中に設けられた三方切替手段５１との間に接続流路３９が接続され、
第二の流路２２の出口と湿流路１２の入口との間に接続された接続流路３４の湿流路１２の入口側の三方切替手段５６と、内気連通流路３５の第一の流路２１の出口側の三方切替手段５７との間に接続流路４０が接続され、この接続流路４０の途中に三方切替手段６２が設けられ、この三方切替手段６２と外気連通流路３２の途中に設けられた三方切替手段５２との間に接続流路４１が接続され、
第二の流路２２の出口と湿流路１２の入口との間に接続された接続流路３４の第二の流路２２の出口側の三方切替手段５５と、内気連通流路３５の内気開放端側の三方切替手段５８との間に接続流路４２が接続され、この接続流路４２の途中に三方切替手段６３が設けられ、この三方切替手段６３と四方切替手段５３との間に接続流路４３が接続されることを特徴とする。
【０００８】
請求項２に係る発明は、請求項１に係る発明において、
外気吸入流路３１が全長に亘って内部が連通するようにこの途中に設けられる三方切替手段５１を切り替え、
外気連通流路３２が全長に亘って内部が連通するようにこの途中に設けられる三方切替手段５２を切り替え、
乾流路１１の出口と第一の流路２１の入口との間に接続される接続流路３３が全長に亘って内部が連通するようにこの途中に設けられる四方切替手段５３および三方切替手段５４を切り替え、
第二の流路２２の出口と湿流路１２の入口との間に接続される接続流路３４が全長に亘って内部が連通するようにこの途中に設けられる三方切替手段５５および三方切替手段５６を切り替え、
第一の流路２１の出口に接続される内気連通流路３５が全長に亘って内部が連通するようにこの途中に設けられる三方切替手段５７および三方切替手段５８を切り替え、
第二の流路２２の入口に接続される内気吸入流路３６が全長に亘って内部が連通するように三方切替手段５９および三方切替手段６０を切り替えて、流路を構成し、
間接気化冷却装置１の液体供給手段１３を動作させ、
デシカント調湿装置２のデシカントロータ２０と再生手段２３、２４を動作させないで運転することを特徴とする。
【０００９】
請求項３に係る発明は、請求項１に係る発明において、
外気吸入流路３１が全長に亘って内部が連通するようにこの途中に設けられる三方切替手段５１を切り替え、
外気連通流路３２が全長に亘って内部が連通するようにこの途中に設けられる三方切替手段５２を切り替え、
乾流路１１の出口と第一の流路２１の入口との間に接続される接続流路３３が全長に亘って内部が連通するようにこの途中に設けられる四方切替手段５３および三方切替手段５４を切り替え、
第二の流路２２の出口と湿流路１２の入口との間に接続される接続流路３４が全長に亘って内部が連通するようにこの途中に設けられる三方切替手段５５および三方切替手段５６を切り替え、
第一の流路２１の出口に接続される内気連通流路３５が全長に亘って内部が連通するようにこの途中に設けられる三方切替手段５７および三方切替手段５８を切り替え、
第二の流路２２の入口に接続される内気吸入流路３６が全長に亘って内部が連通するように三方切替手段５９および三方切替手段６０を切り替えて、流路を構成し、
間接気化冷却装置１の液体供給手段１３を動作させ、
デシカント調湿装置２のデシカントロータ２０と第二の流路２２の再生手段２４を動作させて運転することを特徴とする。
【００１０】
請求項４に係る発明は、請求項１に係る発明において、
外気吸入流路３１が全長に亘って内部が連通するようにこの途中に設けられる三方切替手段５１を切り替え、
外気連通流路３２が全長に亘って内部が連通するようにこの途中に設けられる三方切替手段５２を切り替え、
乾流路１１の出口と第一の流路２１の入口との間に接続される接続流路３３が全長に亘って内部が連通するようにこの途中に設けられる四方切替手段５３および三方切替手段５４を切り替え、
第二の流路２２の出口と湿流路１２の入口との間に接続される接続流路３４が全長に亘って内部が連通するようにこの途中に設けられる三方切替手段５５および三方切替手段５６を切り替え、
第一の流路２１の出口に接続される内気連通流路３５が全長に亘って内部が連通するようにこの途中に設けられる三方切替手段５７および三方切替手段５８を切り替え、
第二の流路２２の入口に接続される内気吸入流路３６が全長に亘って内部が連通するように三方切替手段５９および三方切替手段６０を切り替えて、流路を構成し、
間接気化冷却装置１の液体供給手段１３を動作させず、
デシカント調湿装置２のデシカントロータ２０と再生手段２３、２４を動作させないで運転することを特徴とする。
【００１１】
請求項５に係る発明は、請求項１に係る発明において、
外気吸入流路３１が全長に亘って内部が連通するようにこの途中に設けられる三方切替手段５１を切り替え、
外気連通流路３２が全長に亘って内部が連通するようにこの途中に設けられる三方切替手段５２を切り替え、
乾流路１１の出口と第一の流路２１の入口との間に接続される接続流路３３が全長に亘って内部が連通するようにこの途中に設けられる四方切替手段５３および三方切替手段５４を切り替え、
第二の流路２２の出口と湿流路１２の入口との間に接続される接続流路３４が全長に亘って内部が連通するようにこの途中に設けられる三方切替手段５５および三方切替手段５６を切り替え、
第一の流路２１の出口に接続される内気連通流路３５が全長に亘って内部が連通するようにこの途中に設けられる三方切替手段５７および三方切替手段５８を切り替え、
第二の流路２２の入口に接続される内気吸入流路３６が全長に亘って内部が連通するように三方切替手段５９および三方切替手段６０を切り替えて、流路を構成し、
デシカント調湿装置２のデシカントロータ２０と第一の流路２１の再生手段２３を動作させて運転することを特徴とする。
【発明の効果】
【００１２】
本発明の冷房除湿システムにあっては、冷房と、除湿と、冷房および除湿を任意に行うことが可能である。
【図面の簡単な説明】
【００１３】
【図１】本発明の一実施形態の概略構成図である。
【図２】第１運転モードの場合の気体の流れを説明する図である。
【図３】第２運転モードの場合の気体の流れを説明する図である。
【図４】第３運転モードの場合の気体の流れを説明する図である。
【図５】第４運転モードの場合の気体の流れを説明する図である。
【図６】第５運転モードの場合の気体の流れを説明する図である。
【図７】第６運転モードの場合の気体の流れを説明する図である。
【図８】第７運転モードの場合の気体の流れを説明する図である。
【図９】第８運転モードの場合の気体の流れを説明する図である。
【図１０】第９運転モードの場合の気体の流れを説明する図である。
【図１１】第１０運転モードの場合の気体の流れを説明する図である。
【発明を実施するための形態】
【００１４】
以下、本発明の一実施形態に基いて説明する。まず、間接気化冷却装置とデシカント調湿装置について説明する。
【００１５】
間接気化冷却装置は、乾流路と湿流路の二つの流路を備え、この流路間で熱交換を行うものである。乾流路と湿流路の間には、熱伝導性部材が介在しており、この熱伝導性部材により、各流路を流れる気体間で熱交換が行われる。湿流路には、液体供給手段および液体保持手段が設けられ、液体供給手段により液体が供給され、供給された液体は液体保持手段により保持される。液体保持手段において、液体は、湿流路を流れる気体と直接接触可能に保持される。
【００１６】
この間接気化冷却装置は、乾流路に冷却対象となる気体を流通させ、湿流路には、相対湿度が１００％未満の気体を流通させるのであるが、この気体の相対湿度は低い程好ましいものである。そして、液体保持手段に供給された液体が液体保持手段により保持された状態で、乾流路と湿流路とに気体が流れると、湿流路において、液体保持手段に保持されている液体が湿流路を流れる気体により気化されていく。この時、液体保持手段に保持されている液体が蒸発する際に気化熱として周囲から熱を奪うことにより、乾流路を流れる気体も冷却される。これにより、乾流路を流れる気体は、加湿されることなく冷却されるものである。
【００１７】
間接気化冷却装置としては、特許文献１に記載されたものが利用可能であるが、特にこれに限定されない。間接気化冷却装置の一具体例について概略説明する。本例では、乾流路と湿流路とを、セルロース系紙に、通気性を有さず熱伝導性を有する合成樹脂製フィルムを貼り合わせた仕切りにて、セルロース系紙が湿流路側に面するようにして仕切る。セルロース系紙が液体保持手段として機能し、合成樹脂製フィルムが熱伝導性部材として機能する。この場合、液体が蒸発する際に乾流路を流れる気体が奪われる熱は、主に、湿流路の乾流路側の壁面に保持されていた液体が、気化熱として、乾流路から直接的に奪う熱であるが、液体が蒸発する際に湿流路から熱を奪うことで湿流路の温度が低下し、これにより奪われる熱もある。
【００１８】
液体供給手段は、チューブと、ポンプと、ポンプを駆動するモータ等の駆動手段と、駆動手段を制御するマイクロコンピュータ等からなる制御部と、タンク等の液体貯留部と、を備える。チューブの一端は液体貯留部に接続され、チューブの他端は湿流路のセルロース系紙付近に配置される。
【００１９】
この乾流路と湿流路は交互に積層され、各乾流路の入口および出口、各湿流路の入口および出口はそれぞれ一つの入口および出口に集約される。
【００２０】
乾流路と湿流路には、それぞれ送風手段が設けられる。送風手段は、ファンと、ファンを駆動するモータ等の駆動手段と、駆動手段を制御するマイクロコンピュータ等からなる制御部と、を備える。
【００２１】
乾流路と湿流路とを流れる気体の流量と、湿流路に供給される液体の流量を制御部により制御することで、乾流路を流れて得られる冷却空気の量、温度がある程度調節可能となっている。
【００２２】
また、湿流路を流れる気体中の蒸気が結露して液体となった場合に、この液体を排出する排出手段を備えている。この排出手段としては、湿流路と外部とを連通する流路となる管等を備え、途中に逆止弁やポンプを有するものが用いられるが、特に限定されない。
【００２３】
なお、上記のような間接気化冷却装置は一例であってこれに限定されない。また、液体としては水が好適に用いられるが、他の液体が用いられてもよく、この場合には揮発性の高い液体が好ましい。また、乾流路と湿流路とを流れる気体は空気が好適に用いられるが、特に限定されず、また、乾流路と湿流路とに別々の気体が流れてもよい。
【００２４】
デシカント調湿装置は、二つの流路と、この流路間に跨って回転するデシカントロータと、デシカントロータを駆動するモータ等の駆動手段と、駆動手段を制御するマイクロコンピュータ等からなる制御部と、を備え、一方の流路を流れる気体に対し吸湿を行うとともに、他方の流路を流れる気体に対し放湿を行うものである。デシカントロータは、通常は円盤状をしたもので、その中心軸（回転軸）方向に通気性を有する。なお、デシカントロータは円盤状に限定されない。そして、デシカントロータの表面に吸湿材（デシカント）が担持されている。また、他方の流路には、デシカントロータの上流側に、デシカントロータを再生するための加熱手段からなる再生手段を備えている。加熱手段（再生手段）としては、例えば気−液熱交換器と、熱媒と、循環路と、ポンプと、ポンプを駆動するモータ等の駆動手段と、熱媒を加熱するガスバーナ等の加熱部と、を備えた温水コイルが好適に用いられるが、特に限定されず、電熱ヒータ等であってもよい。
【００２５】
二つの流路には、それぞれ送風手段が設けられる。送風手段は、ファンと、ファンを駆動するモータ等の駆動手段と、駆動手段を制御するマイクロコンピュータ等からなる制御部と、を備えている。
【００２６】
なお、上記に加え、二つの流路間に跨って回転する顕熱交換ロータと、顕熱交換ロータを駆動するモータ等の駆動手段と、駆動手段を制御するマイクロコンピュータ等からなる制御部と、を備えていてもよい。顕熱交換ロータは、一方の流路のデシカントロータよりも上流側の部分と、他方の流路のデシカントロータよりも下流側の部分に跨るように回転する。また、顕熱交換ロータに代えて、間に熱伝導性部材を介在させて二つの流路を仕切る一般的な熱交換器を備えてもよい。
【００２７】
このデシカント調湿装置は、除湿対象とする気体を一方の流路に流通させ、除湿対象となる気体がデシカントロータを通過すると、吸湿材に液体の蒸気が吸収され、除湿された気体となって流出する。他方の流路においては、再生手段（加熱手段）によりデシカントロータが加熱され、気体がデシカントロータを通過する際、デシカントロータが吸湿材が吸収していた液体を気体中に蒸気として放出し、吸湿材が再生される。
【００２８】
また、顕熱交換ロータを備えている場合には、顕熱交換ロータを回転させることで、他方の流路から流出する気体から熱を奪うとともに一方の流路に流入する気体に放熱し、熱の回収が行われる。顕熱交換ロータでなく一般的な熱交換器の場合も同様である。
【００２９】
一方の流路と他方の流路とを流れる気体の流量と、加熱手段による加熱量と、場合によってはデシカントロータの回転速度を制御部により制御することで、一方の流路から流出する除湿気体の量、湿度が調節可能である。
【００３０】
なお、上記のようなデシカント調湿装置は一例であって、これに限定されない。
【００３１】
以下、本発明の冷房除湿システムについて図１に基づいて説明する。
【００３２】
間接気化冷却装置１の乾流路１１および湿流路１２、デシカント調湿装置２の第一の流路２１および第二の流路２２は、送風手段による送風方向が定まっており、入口および出口が固定されている。第一の流路２１と第二の流路２２とには、それぞれ再生手段２３、２４が設けられている。また、第一の流路２１のデシカントロータ２０の下流側の部分と、第二の流路２２のデシカントロータ２０の上流側の部分とで、熱伝導性部材により互いに熱交換を可能とする熱交換器２５が設けられている。
【００３３】
乾流路１１の入口には、先端が屋外の大気に連通する大気開放端となる外気吸入流路３１が接続され、この外気吸入流路３１の途中に三方切替手段５１が設けられる。三方切替手段５１は、特に図示しないが、三つの流路がそれぞれ接続される三個のポートを有し、前記三つの流路のうち所望の二つ（または三つ）の流路が連通するように切り替えるもので、ダンパーが好適に用いられるが、前記三つの流路にそれぞれ開閉弁（含ダンパー）を設けてこれらの開閉の組み合わせで切り替えを行ってもよく、特に限定されない。以下の全ての三方切替手段についても同様である。
【００３４】
湿流路１２の出口には、先端が屋外の大気に連通する大気開放端となる外気連通流路３２が接続され、この外気連通流路３２の途中に三方切替手段５２が設けられる。
【００３５】
乾流路１１の出口と第一の流路２１の入口との間には接続流路３３が接続され、第二の流路２２の出口と湿流路１２の入口との間には接続流路３４が接続される。
【００３６】
接続流路３３の途中には、乾流路１１の出口側から順に、四方切替手段５３と三方切替手段５４とが直列に設けられる。四方切替手段は、特に図示しないが、四つの流路がそれぞれ接続される四個のポートを有し、所望の二つの流路が連通するように切り替えるものであるが、前記四つの流路にそれぞれ開閉弁（含ダンパー）を設けてこれらの開閉の組み合わせで切り替えを行ってもよく、特に限定されない。
【００３７】
接続流路３４の途中には、第二の流路２２の出口側から順に、三方切替手段５５と三方切替手段５６とが設けられる。
【００３８】
第一の流路２１の出口には、先端が屋内の空間に連通する内気開放端となる内気連通流路３５が接続され、第二の流路２２の入口には、先端が屋内の空間に連通する内気開放端となる内気吸入流路３６が接続される。
【００３９】
内気連通流路３５には、第一の流路２１の出口側から順に、三方切替手段５７と三方切替手段５８とが設けられ、内気吸入流路３６には、内気開放端側から順に、三方切替手段５９と三方切替手段６０とが設けられる。
【００４０】
四方切替手段５３と、内気吸入流路３６の第二の流路２２の入口側の三方切替手段６０との間に、接続流路３７が接続される。
【００４１】
接続流路３３の第一の流路２１の入口側の三方切替手段５４と、内気吸入流路３６の内気開放端側の三方切替手段５９との間に、接続流路３８が接続され、この接続流路３８の途中に三方切替手段６１が設けられる。この三方切替手段６１と三方切替手段５１との間に、接続流路３９が接続される。
【００４２】
接続流路３４の湿流路１２の入口側の三方切替手段５６と、内気連通流路３５の第一の流路２１の出口側の三方切替手段５７との間に、接続流路４０が接続され、この接続流路４０の途中に三方切替手段６２が設けられる。この三方切替手段６２と三方切替手段５２との間に、接続流路４１が接続される。
【００４３】
接続流路３４の第二の流路２２の出口側の三方切替手段５５と、内気連通流路３５の内気開放端側の三方切替手段５８との間に、接続流路４２が接続され、この接続流路４２の途中に三方切替手段６３が設けられる。この三方切替手段６３と、四方切替手段５３との間に、接続流路４３が接続される。
【００４４】
第１運転モードについて説明する。第１運転モードでは、図２に示すように、三方切替手段５１を、外気吸入流路３１が外気開放端から乾流路１１の入口までの全長に亘って内部が連通するように切り替え、三方切替手段５２を、外気連通流路３２が湿流路１２の出口から外気開放端までの全長に亘って内部が連通するように切り替える。四方切替手段５３および三方切替手段５４を、接続流路３３が乾流路１１の出口から第一の流路２１の入口までの全長に亘って内部が連通するように切り替え、三方切替手段５５および三方切替手段５６を、接続流路３４が第二の流路２２の出口から湿流路１２の入口までの全長に亘って内部が連通するように切り替える。三方切替手段５７および三方切替手段５８を、内気連通流路３５が第一の流路２１の出口から内気開放端までの全長に亘って内部が連通するように切り替え、三方切替手段５９および三方切替手段６０を、内気吸入流路３６が内気開放端から第二の流路２２の入口までの全長に亘って内部が連通するように切り替えて、流路を構成する。
【００４５】
そして、間接気化冷却装置１をＯＮ（運転）にするとともに、デシカント調湿装置２をＯＦＦ（運転停止）にする。デシカント調湿装置２をＯＦＦにすると、デシカントロータ２０の回転は行われず、再生手段２３、２４も動作しないが、気体は、第一の流路２１と第二の流路２２を湿度変化なく通過するとともに、熱交換器２５において熱交換が行われる。
【００４６】
外気は、外気吸入流路３１を介して乾流路１１に流入し、間接気化冷却装置１により加湿されることなく冷却され、接続流路３３を介してデシカント調湿装置２の第一の流路２１に流入する。そして、デシカント調湿装置２の熱交換器２５を通過する際に更に冷却され、内気連通流路３５を介して屋内へ供給される。
【００４７】
内気は、内気吸入流路３６を介してデシカント調湿装置２の第二の流路２２に流入し、熱交換器２５を通過する際に加熱されて、接続流路３４を介して間接気化冷却装置１の湿流路１２に流入する。そして、湿流路１２を通過する際に、水保持手段により保持されていた水が気化して生成される水蒸気を含んで、外気連通流路３２を介して屋外へ排出される。
【００４８】
上記第１運転モードは、主に夏期に、外気を取り入れて内気を排出（すなわち換気）するとともに、取り入れる外気を加湿することなく冷却するものである。
【００４９】
次に、第２運転モードについて説明する。第２運転モードでは、図３に示すように、三方切替手段５１を、外気吸入流路３１が外気開放端から乾流路１１の入口までの全長に亘って内部が連通するように切り替え、三方切替手段５２を、外気連通流路３２が湿流路１２の出口から外気開放端までの全長に亘って内部が連通するように切り替える。四方切替手段５３を、乾流路１１と接続流路３７とが連通するように切り替え、三方切替手段５４を、接続流路３８と第一の流路２１とが連通するように切り替える。三方切替手段５５を、第二の流路２２と接続流路４２とが連通するように切り替え、三方切替手段５６を、接続流路４０と湿流路１２とが連通するように切り替える。三方切替手段５７を、第一の流路２１と接続流路４０とが連通するように切り替え、三方切替手段５８を、接続流路４２と内気連通流路３５の内気開放端とが連通するように切り替える。三方切替手段５９を、内気吸入流路３６の内気開放端と接続流路３８とが連通するように切り替え、三方切替手段６０を、接続流路３７と第二の流路２２とが連通するように切り替える。三方切替手段６２を、接続流路４０が三方切替手段５７から三方切替手段５６までの全長に亘って内部が連通するように切り替え、三方切替手段６３を、接続流路４２が三方切替手段５５から三方切替手段５８までの全長に亘って内部が連通するように切り替えて、流路を構成する。
【００５０】
そして、間接気化冷却装置１をＯＦＦにするとともに、デシカント調湿装置２をＯＮにする。間接気化冷却装置１をＯＦＦにすると、水供給手段１３が動作せず湿流路１２への水の供給が行われないが、乾流路１１と湿流路１２を流れる気体は、互いに顕熱を交換し、乾流路１１を流れる気体は若干冷却される（これを予備冷却という）。また、デシカント調湿装置２は、デシカントロータ２０の回転が行われるとともに、第一の流路２１の再生手段２３が動作する。すなわち、第二の流路２２が吸湿流路となって、流れる気体が吸湿されて湿度が低下し、第一の流路２１が放湿流路となって、流れる気体に放湿されて湿度が上昇する。
【００５１】
外気は、外気吸入流路３１を介して乾流路１１に流入し、間接気化冷却装置１により加湿されることなく予備冷却され、接続流路３７を介してデシカント調湿装置２の第二の流路２２に流入する。そして、熱交換器２５を通過する際に更に冷却され、デシカントロータ２０を通過する際に吸湿されて低湿度となり、接続流路４２および内気連通流路３５を介して屋内へ供給される。
【００５２】
内気は、内気吸入流路３６の内気開放端より流入し、接続流路３８を介してデシカント調湿装置２の第一の流路２１に流入し、デシカントロータ２０を通過する際に放湿されて高湿度となり、接続流路４０を介して間接気化冷却装置１の湿流路１２に流入する。そして、湿流路１２を通過する際に、乾流路１１を流れる気体との熱（顕熱）交換により若干温度が上昇し、外気連通流路３２を介して屋外へ排出される。湿流路１２を流れる気体は高湿度となっているが、排出手段１４を備えているため、結露により支障をきたすことはない。
【００５３】
上記第２運転モードでは、主に夏期に、換気するとともに、取り入れる外気を予備冷却し且つ除湿（吸湿）して供給するものである。
【００５４】
次に、第３運転モードについて説明する。第３運転モードは、図４に示すように、第１運転モードと同様の流路構成となっている。
【００５５】
そして、間接気化冷却装置１とデシカント調湿装置２を両方ＯＮにするもので、デシカント調湿装置２は、第二の流路２２の再生手段２４が動作する。すなわち、第一の流路２１が吸湿流路となって、流れる気体が吸湿されて湿度が低下し、第二の流路２２が放湿流路となって、流れる気体に放湿されて湿度が上昇する。
【００５６】
外気は、外気吸入流路３１を介して乾流路１１に流入し、間接気化冷却装置１により加湿されることなく冷却され、接続流路３３を介してデシカント調湿装置２の第一の流路２１に流入する。そして、デシカントロータ２０を通過する際に吸湿されて低湿度となり、熱交換器２５を通過する際に更に冷却され、内気連通流路３５を介して屋内へ供給される。
【００５７】
内気は、内気吸入流路３６を介してデシカント調湿装置２の第二の流路２２に流入し、デシカントロータ２０を通過する際に放湿されて高湿度となり、接続流路３４を介して間接気化冷却装置１の湿流路１２に流入する。そして、湿流路１２を通過する際に、水保持手段により保持されていた水が気化して生成される水蒸気を更に含んで、外気連通流路３２を介して屋外へ排出される。湿流路１２に流入する気体は高湿度となっている上に湿流路１２で更に水蒸気を含むが、排出手段１４を備えているため、結露により支障をきたすことはない。
【００５８】
上記第３運転モードでは、主に夏期に、換気するとともに、取り入れる外気を冷却し且つ除湿して供給するものである。
【００５９】
次に、第４運転モードについて説明する。第４運転モードは、第３運転モードの変形例で、図５に示すように、第３運転モードの流路構成と大部分において同様であり、異なる部分について説明する。
【００６０】
第４運転モードでは、三方切替手段５５を、第二の流路２２を流れてきた気体と接続流路４２を流れてきた気体とが合流して三方切替手段５６へ流れていくように切り替える。三方切替手段５８を、内気連通流路３５を第一の流路２１から流れてきた気体が、一部が分岐して接続流路４２を流れていき残りが内気連通流路３５の内気開放端へ流れていくよう切り替える。すなわち、第３運転モードにおいて、第一の流路２１を流れてきた低湿度の気体を湿流路１２の入口に戻す還流路を形成するものである。
【００６１】
そして、第３運転モードと同様に、間接気化冷却装置１とデシカント調湿装置２を両方ＯＮにし、第二の流路２２の再生手段２４が動作し、第一の流路２１が吸湿流路となって、流れる気体が吸湿されて湿度が低下し、第二の流路２２が放湿流路となって、流れる気体に放湿されて湿度が上昇する。
【００６２】
外気は、外気吸入流路３１を介して乾流路１１に流入し、間接気化冷却装置１により加湿されることなく冷却され、接続流路３３を介してデシカント調湿装置２の第一の流路２１に流入する。そして、デシカントロータ２０を通過する際に吸湿されて低湿度となり、熱交換器２５を通過する際に更に冷却され、内気連通流路３５へと流れる。そして、三方切替手段５８にて分岐し、一部が分岐して接続流路４２を流れていき、残りが内気連通流路３５の内気開放端へ流れて屋内へ供給される。
【００６３】
内気は、内気吸入流路３６を介してデシカント調湿装置２の第二の流路２２に流入し、デシカントロータ２０を通過する際に放湿されて高湿度となり、接続流路３４へと流れる。そして、三方切替手段５５にて、第二の流路２２を流れてきた気体と接続流路４２を流れてきた気体とが合流して、間接気化冷却装置１の湿流路１２に流入する。この時、第二の流路２２を流れてきた高湿度の気体が、接続流路４２を流れてきた低湿度の気体との混合により湿度が低下する。そして、湿流路１２を通過する際に、水保持手段により保持されていた水が気化して生成される水蒸気を更に含んで、外気連通流路３２を介して屋外へ排出される。湿流路１２に流入する気体は高湿度となっている上に湿流路１２で更に水蒸気を含むが、排出手段１４を備えているため、結露により支障をきたすことはない。
【００６４】
上記第４運転モードは第３運転モードと同様に、主に夏期に、換気するとともに、取り入れる外気を冷却し且つ除湿して供給するものであるが、第３運転モードと比べ、湿流路１２に流入する気体の湿度が低くなって湿流路１２での気化が促進されるため、乾流路１１を流れる気体の冷却能力が向上する。さらにこれにより、第一の流路２１に流入する気体の温度が低下するため、相対湿度が上昇し、デシカントロータ２０を通過する際の吸湿量が上昇する。
【００６５】
次に、第５運転モードについて説明する。第５運転モードは、図６に示すように、第２運転モードと同様の流路構成となっている。
【００６６】
そして、間接気化冷却装置１とデシカント調湿装置２を両方ＯＮにするもので、デシカント調湿装置２は、第一の流路２１の再生手段２３が動作する。すなわち、第二の流路２２が吸湿流路となって、流れる気体が吸湿されて湿度が低下し、第一の流路２１が放湿流路となって、流れる気体に放湿されて湿度が上昇する。
【００６７】
外気は、外気吸入流路３１を介して乾流路１１に流入し、間接気化冷却装置１により加湿されることなく冷却され、接続流路３７を介してデシカント調湿装置２の第二の流路２２に流入する。そして、熱交換器２５を通過する際に更に冷却され、デシカントロータ２０を通過する際に吸湿されて低湿度となり、接続流路４２および内気連通流路３５を介して屋内へ供給される。
【００６８】
内気は、内気吸入流路３６の内気開放端より流入し、接続流路３８を介してデシカント調湿装置２の第一の流路２１に流入し、デシカントロータ２０を通過する際に放湿されて高湿度となり、接続流路４０を介して間接気化冷却装置１の湿流路１２に流入する。そして、湿流路１２を通過する際に、水保持手段により保持されていた水が気化して生成される水蒸気を更に含んで、外気連通流路３２を介して屋外へ排出される。湿流路１２に流入する気体は高湿度となっている上に湿流路１２で更に水蒸気を含むが、排出手段１４を備えているため、結露により支障をきたすことはない。
【００６９】
この第５運転モードは、第２運転モードにおいて、間接気化冷却装置１をＯＮにするもので、主に夏期に、換気するとともに、取り入れる外気を（予備冷却ではなく）冷却し且つ除湿して供給するものである。
【００７０】
また、第３運転モードと比べると、デシカント調湿装置２では、屋内へ供給される気体は、第３運転モードでは、第一の流路２１においてデシカントロータ２０を通過した後、熱交換器２５を通過して冷却されるのに対し、第５運転モードでは、第二の流路２２において熱交換器２５を通過して冷却された後、デシカントロータ２０を通過して吸湿される。このため、第５運転モードでは、屋内へ供給される気体がデシカントロータ２０を通過する際の相対湿度が上昇し、デシカントロータ２０による吸湿量が上昇するもので、高い除湿能力が得られる。
【００７１】
次に、第６運転モードについて説明する。第６運転モードは、第５運転モードの変形例で、図７に示すように、第５運転モードの流路構成と大部分において同様であり、異なる部分について説明する。
【００７２】
第６運転モードでは、三方切替手段５５を、第二の流路２２を流れてきた気体が、一部が分岐して一部が接続流路３４を流れていき残りが接続流路４２を流れていくように切り換える。三方切替手段５６を、接続流路３４を流れてきた気体と接続流路４０を流れてきた気体とが合流して湿流路１２へ流れていくように切り替える。すなわち、第５運転モードにおいて、第二の流路２２を流れてきた低湿度の気体を湿流路１２の入口に戻す還流路を形成するものである。
【００７３】
そして、間接気化冷却装置１とデシカント調湿装置２を両方ＯＮにするもので、デシカント調湿装置２は、第一の流路２１の再生手段２３が動作する。すなわち、第二の流路２２が吸湿流路となって、流れる気体が吸湿されて湿度が低下し、第一の流路２１が放湿流路となって、流れる気体に放湿されて湿度が上昇する。
【００７４】
外気は、外気吸入流路３１を介して乾流路１１に流入し、間接気化冷却装置１により加湿されることなく冷却され、接続流路３７を介してデシカント調湿装置２の第二の流路２２に流入する。そして、熱交換器２５を通過する際に更に冷却され、デシカントロータ２０を通過する際に吸湿されて低湿度となる。そして、三方切替手段５５にて、一部が分岐して接続流路３４を流れていき、残りが接続流路４２および内気連通流路３５の内気開放端へ流れて屋内へ供給される。
【００７５】
内気は、内気吸入流路３６の内気開放端より流入し、接続流路３８を介してデシカント調湿装置２の第一の流路２１に流入し、デシカントロータ２０を通過する際に放湿されて高湿度となり、接続流路４０へと流れる。そして、三方切替手段５６にて、接続流路４０を流れてきた気体と接続流路３４を流れてきた気体とが合流して、間接気化冷却装置１の湿流路１２に流入する。この時、接続流路４０を流れてきた高湿度の気体が、接続流路３４を流れてきた低湿度の気体との混合により湿度が低下する。そして、湿流路１２を通過する際に、水保持手段により保持されていた水が気化して生成される水蒸気を更に含んで、外気連通流路３２を介して屋外へ排出される。湿流路１２に流入する気体は高湿度となっている上に湿流路１２で更に水蒸気を含むが、排出手段１４を備えているため、結露により支障をきたすことはない。
【００７６】
上記第６運転モードは第５運転モードと同様に、主に夏期に、換気するとともに、取り入れる外気を（予備冷却ではなく）冷却し且つ除湿して供給するものであるが、第５運転モードと比べ、湿流路１２に流入する気体の湿度が低くなって湿流路１２での気化が促進されるため、乾流路１１を流れる気体の冷却能力が向上する。さらにこれにより、第二の流路２２に流入する気体の温度が低下するため、相対湿度が上昇し、デシカントロータ２０を通過する際の吸湿量が上昇する。
【００７７】
また、第４運転モードと比べると、デシカント調湿装置２では、屋内へ供給される気体は、第４運転モードでは、第一の流路２１においてデシカントロータ２０を通過した後、熱交換器２５を通過して冷却されるのに対し、第６運転モードでは、第二の流路２２において熱交換器２５を通過して冷却された後、デシカントロータ２０を通過して吸湿される。このため、第６運転モードでは、屋内へ供給される気体がデシカントロータ２０を通過する際の相対湿度が上昇し、デシカントロータ２０による吸湿量が上昇するもので、高い除湿能力が得られる。
【００７８】
次に、第７運転モードについて説明する。第７運転モードは、図８に示すように、第１運転モードと同様の流路構成となっている。そして、間接気化冷却装置１とデシカント調湿装置２を両方ＯＦＦにする。
【００７９】
外気は、外気吸入流路３１を介して乾流路１１に流入し、間接気化冷却装置１により加湿されることなく予備冷却され、接続流路３３を介してデシカント調湿装置２の第一の流路２１に流入する。そして、デシカント調湿装置２の熱交換器２５を通過する際に更に冷却され、内気連通流路３５を介して屋内へ供給される。
【００８０】
内気は、内気吸入流路３６を介してデシカント調湿装置２の第二の流路２２に流入し、熱交換器２５を通過する際に加熱されて、接続流路３４を介して間接気化冷却装置１の湿流路１２に流入する。そして、湿流路１２を通過する際に、乾流路１１を流れる気体との熱（顕熱）交換により若干温度が上昇し、外気連通流路３２を介して屋外へ排出される。
【００８１】
上記第７運転モードは、主に夏期に、換気するとともに、取り入れる外気を加湿することなく冷却するもので、間接気化冷却装置１とデシカント調湿装置２の両方を動作させることなく、間接気化冷却装置１での予備冷却とデシカント調湿装置２の熱交換器２５での冷却を行うことができる。
【００８２】
次に、第８運転モードについて説明する。第８運転モードは、図９に示すように、第１運転モードと同様の流路構成となっている。
【００８３】
そして、間接気化冷却装置１とデシカント調湿装置２を両方ＯＮにするもので、デシカント調湿装置２は、第一の流路２１の再生手段２３が動作する。すなわち、第二の流路２２が吸湿流路となって、流れる気体が吸湿されて湿度が低下し、第一の流路２１が放湿流路となって、流れる気体に放湿されて湿度が上昇する。
【００８４】
外気は、外気吸入流路３１を介して乾流路１１に流入し、間接気化冷却装置１により加湿されることなく冷却され、接続流路３３を介してデシカント調湿装置２の第一の流路２１に流入する。そして、デシカントロータ２０を通過する際に放湿され、熱交換器２５を通過する際に冷却され、内気連通流路３５を介して屋内へ供給される。
【００８５】
内気は、内気吸入流路３６を介してデシカント調湿装置２の第二の流路２２に流入し、デシカントロータ２０を通過する際に吸湿されて低湿度となり、接続流路３４を介して間接気化冷却装置１の湿流路１２に流入する。そして、低湿度となった気体は、湿流路１２を通過する際に、水保持手段により保持されていた水が気化して生成される水蒸気を含んで、外気連通流路３２を介して屋外へ排出される。
【００８６】
上記第８運転モードでは、主に夏期に、換気するとともに、取り入れる外気を冷却し且つ除湿して供給するものである。また、第４運転モードおよび第６運転モードと比べても、湿流路１２に流入する気体の湿度が低くなって、湿流路１２での気化がより促進され、乾流路１１を流れる気体の冷却能力がより一層向上する。これにより、高い冷房能力が得られるものである。
【００８７】
次に、第９運転モードについて説明する。第９運転モードは、第８運転モードの変形例である。
【００８８】
第９運転モードでは、図１０に示すように、三方切替手段５１を、外気吸入流路３１が外気開放端から乾流路１１の入口までの全長に亘って内部が連通するように切り替え、三方切替手段５２を、湿流路１２を流れてきた気体と接続流路４１を流れてきた気体とが合流して外気連通流路３２の外気開放端へ流れていくように切り替える。四方切替手段５３を、乾流路１１と接続流路４３が連通するように切り替え、三方切替手段６３を、接続流路４３と接続流路４２の三方切替手段５８側とが連通するように切り替え、三方切替手段５８を、接続流路４２と内気連通流路３５の内気開放端とが連通するように切り替える。三方切替手段５９を、内気吸入流路３６を内気開放端から流れてきた気体が、一部が分岐して接続流路３８を流れていき残りが内気吸入流路３６を第二の流路２２へと流れていくよう切り替え、三方切替手段６０を、内気吸入流路３６が内気開放端から第二の流路２２の入口までの全長に亘って内部が連通するように切り替え、三方切替手段５４を、接続流路３８と第一の流路２１とが連通するように切り替える。三方切替手段５５および三方切替手段５６を、接続流路３４が第二の流路２２の出口から湿流路１２の入口までの全長に亘って内部が連通するように切り替え、三方切替手段５７を、第一の流路２１と接続流路４０とが連通するように切り替える。三方切替手段６２を、接続流路４０の三方切替手段５７側と接続流路４１とが連通するように切り替えて、流路を構成する。
【００８９】
そして、間接気化冷却装置１とデシカント調湿装置２を両方ＯＮにするもので、デシカント調湿装置２は、第一の流路２１の再生手段２３が動作する。すなわち、第二の流路２２が吸湿流路となって、流れる気体が吸湿されて湿度が低下し、第一の流路２１が放湿流路となって、流れる気体に放湿されて湿度が上昇する。
【００９０】
第９運転モードにおいても、上記第８運転モードと同様に、主に夏期に、換気するとともに、取り入れる外気を冷却し且つ除湿して供給するものである。さらに、乾流路１１を流れてきた低温の気体を、第８運転モードのようにデシカントロータ２０を通過して放湿されて高湿度となることなく、屋内へ供給することができる。また、内気によりデシカントロータ２０の再生を行い、高湿度となった気体を排出している。
【００９１】
次に、第１０運転モードについて説明する。第１０運転モードは、第９運転モードの変形例で、図１１に示すように、第９運転モードの流路構成と大部分において同様であり、異なる部分について説明する。
【００９２】
第１０運転モードでは、三方切替手段５９を、内気吸入流路３６が内気開放端から第二の流路２２の入口までの全長に亘って内部が連通するように切り替え、三方切替手段６１を、接続流路３８の三方切替手段５４側と接続流路３９とが連通するように切り替え、三方切替手段５１を、外気吸入流路３１を外気開放端から流れてきた気体が、一部が分岐して接続流路３９を流れていき残りが外気吸入流路３１を乾流路１１へと流れていくよう切り替えて、流路を構成する。
【００９３】
そして、間接気化冷却装置１とデシカント調湿装置２を両方ＯＮにするもので、デシカント調湿装置２は、第一の流路２１の再生手段２３が動作する。すなわち、第二の流路２２が吸湿流路となって、流れる気体が吸湿されて湿度が低下し、第一の流路２１が放湿流路となって、流れる気体に放湿されて湿度が上昇する。
【００９４】
第１０運転モードにおいても、上記第８運転モードおよび第９運転モードと同様に、主に夏期に、換気するとともに、取り入れる外気を冷却し且つ除湿して供給するものである。さらに、乾流路１１を流れてきた低温の気体を、第８運転モードのようにデシカントロータ２０を通過して放湿されて高湿度となることなく、屋内へ供給することができる。また、外気によりデシカントロータ２０の再生を行い、高湿度となった気体を排出している。
【符号の説明】
【００９５】
１    間接気化冷却装置
１１  乾流路
１２  湿流路
１３  液体供給手段
１４  排出手段
２    デシカント調湿装置
２０  デシカントロータ
２１  第一の流路
２２  第二の流路
２３〜２４  再生手段
２５  熱交換器
３１  外気吸入流路
３２  外気連通流路
３３〜３４、３７〜４３  接続流路
３５  内気連通流路
３６  内気吸入流路
５１〜５２、５４〜６３  三方切替手段
５３  四方切替手段
【図１】
0005934009.tif 000002
【図２】
0005934009.tif 000003
【図３】
0005934009.tif 000004
【図４】
0005934009.tif 000005
【図５】
0005934009.tif 000006
【図６】
0005934009.tif 000007
【図７】
0005934009.tif 000008
【図８】
0005934009.tif 000009
【図９】
0005934009.tif 000010
【図１０】
0005934009.tif 000011
【図１１】
0005934009.tif 000012